(57)【要約】【課題】コンクリートの品質管理上の必要事項が記載され、耐アルカリ性、耐水性であり、剥離、破損が防止できるコンクリートの品質証明のための試験記録カードを用いたコンクリート供試体の製造方法およびコンクリート供試体を提供する。【解決手段】表面にコンクリートの品質管理上必要な所定事項が記入され、耐アルカリ性、耐水性を有し、背面にはコンクリート供試体表面に接合される接着剤が塗布された、化学合成紙からなるカード本体と、前記所定事項記入面を被覆する透明樹脂フィルムとからなる試験記録カードを供試体型枠内面に装填した後、生コンクリートを流し込み硬化後にコンクリート供試体表面に前記試験記録カードが接着され保全される。【選択図】  図１
2006105949.tif 000002
【特許請求の範囲】
【請求項１】
表面にコンクリートの品質管理上必要な所定事項が記入され、耐アルカリ性、耐水性を有し、背面にはコンクリート供試体表面に接合される接着剤が塗布された化学合成紙からなるカード本体と、前記所定事項記入面を被覆する透明樹脂フィルムとからなる試験記録カードの前記透明樹脂フィルム側を供試体型枠内面に装填した後、生コンクリートを流し込み、硬化後にコンクリート供試体表面に前記試験記録カードが接着されることを特徴とするコンクリート供試体の製造方法。
【請求項２】
請求項１記載の製造方法によって製造される事を特徴とするコンクリート供試体。
【請求項３】
透明樹脂フィルムの表面に粘着剤と剥離紙を備えた試験記録カードの前記剥離紙を剥がして供試体型枠内面に接着することを特徴とする請求項１記載のコンクリート供試体の製造方法。
【発明の詳細な説明】
【技術分野】
【０００１】  この発明は、建設工事現場における生コンクリート打設時の打設コンクリートの品質証明に供するのためのコンクリート供試体の製造方法およびコンクリート供試体に関するものである。
【背景技術】
【０００２】  従来では図８に示す様に、表面にコンクリートの品質管理上必要な所定事項が記入された試験記録カード１３を、グリス塗布等の防水加工を施し、供試体型枠３内面に載置又は片手で保持して装填した後、生コンクリート２を流し込み、硬化後にコンクリート供試体の表面に、試験記録カード１３が添着されてコンクリート供試体を製造していた。
【発明の開示】
【発明が解決しようとする課題】
【０００３】  従来の技術である紙製または、樹脂製試験記録カード１３に必要事項を記載し、供試体型枠３内面に載置又は挿入する方法では、強度試験体である生コンクリートの持つ強アルカリ性、水槽内に最長４週間収容浸漬して行う水中養生などの過酷な環境条件に対し、グリス塗布等の防水では耐えられず、記入した文字の消滅や、セメントペースト被覆による判読困難が発生し、また試験記録カードが供試体より剥離したり破損することにより同時に試験を行う他の供試体との識別ができなくなることもあり、さらに品質管理記録としての写真撮影も困難にしている。また、試験記録カードを片手で保持して、他方の手でコンクリートの流し込み作業を行うため、接着位置の精度も悪く作業効率があがらない。【０００４】  本発明は以上のような欠点をなくすためになされたものである。
【課題を解決するための手段】
【０００５】  本発明の請求項１記載のコンクリート供試体の製造方法は、表面にコンクリートの品質管理上必要な所定事項が記入され、耐アルカリ性、耐水性を有し、背面にはコンクリート供試体表面に接合される接着剤が塗布された化学合成紙からなるカード本体と、前記所定事項記入面を被覆する透明樹脂フィルムとからなる試験記録カードの前記透明樹脂フィルム側を供試体型枠内面に装填した後、生コンクリートを流し込み、硬化後にコンクリート供試体表面に前記試験記録カードが接着される。【０００６】  また、本発明の請求項２記載のコンクリート供試体は、請求項１記載の製造方法によって製造される。【０００７】  さらに、本発明の請求項３記載のコンクリート供試体の製造方法は、請求項１記載のコンクリート供試体の製造方法において、透明樹脂フィルム被覆の表面に粘着剤と剥離紙を備えた試験記録カードの前記剥離紙を剥がして供試体型枠内面に接着される。
【発明の効果】
【０００８】  本発明に係るコンクリート供試体の試験記録カードのカード本体は、化学合成紙のため筆記用インクなどの載りが良く、筆記具を選ばず記入しやすい。このためコンクリート供試体製造に当たって現場での対応が楽である。【０００９】  また、記入面を透明樹脂フィルムにより被覆加工したことにより、４週間以上の水中養生浸漬後も記入文字及び紙質に変化を生じないため、文字が鮮明で読みやすく、写真撮影も鮮明となり記録としての評価が高まる。【００１０】  さらに、カード本体は化学合成紙のため、引張り強度が高く通常では破損することがなく、取り扱いおよび記録保存がしやすく、コンクリート品質管理記録として信頼性が高まる。【００１１】  また、試験記録カード背面に塗布された接着剤によりコンクリート供試体表面に接着され、当該供試体の強度試験完了後の剥離回収時まで剥落を防止し、同時に試験を行う他のコンクリート供試体と識別不能になることが防止できる。【００１２】  コンクリート供試体作成時に、試験記録カードを供試体型枠内面上部に、粘着剤により接着固定することにより接着位置の精度が向上し、生コンクリートの流し込み時に両手での作業が可能となり、作業効率の向上が図られる。
【発明を実施するための最良の形態】
【実施例１】
【００１３】  図１はコンクリート供試体の製造方法を示す断面図であり、試験記録カード部を拡大して示す断面図、図２はコンクリート供試体の完成状況斜視図、図３（ａ）は試験記録カードの所定事項記入前の透明樹脂フィルムおよび剥離紙の一部を破断して示す正面図、（ｂ）は（ａ）のＩＩＩ−ＩＩＩ拡大断面図、図４（ａ）は試験記録カード記入前の斜視図、（ｂ）は（ａ）のＩＶ−ＩＶ断面図、図５（ａ）は試験記録カードに所定の必要事項記入後、透明樹脂フィルムの剥離紙を剥がした状態の斜視図、（ｂ）は（ａ）のＶ−Ｖ拡大断面図、図６（ａ）は透明樹脂フィルムによりカード本体の被覆加工を施し、台紙から剥離して供試体型枠内に装填する前の状態の斜視図、（ｂ）は（ａ）のＶＩ−ＶＩ拡大断面図、図７は本発明の第２の実施例のコンクリート供試体の製造方法を示し、（ａ）は透明樹脂フィルム被覆の表面に備えた粘着剤と剥離紙より剥離紙を剥がして供試体型枠内面に装填する前の状態の斜視図、（ｂ）は（ａ）のＶＩＩ−ＶＩＩ拡大断面図である。【００１４】  図１に示すように、表面にコンクリートの品質管理上必要な所定事項が記入され、耐アルカリ性、耐水性を有し、背面にはコンクリート供試体表面に接合される接着剤が塗布された化学合成紙からなるカード本体５と、前記所定事項記入面を被覆する透明樹脂フィルム７とからなる試験記録カード４の記入面を供試体型枠３に密着させて装填し、生コンクリート２を流し込み，硬化した後供試体型枠３を外し図２の供試体１を得る。【００１５】  図３から図４において、カード本体５は背面に接着剤６が塗布され台紙１０上に接着されている。カード本体５の表面の記入面には、接着剤８が塗布された透明樹脂フィルム７の一端が接着されており、他の部分には剥離紙９が透明樹脂フィルム７より剥離可能な状態で接合されている。したがって、透明樹脂フィルム７は、図４に示すようにカード本体５から一端を中心に捲りが可能となっている。これにより台紙１０を除いた試験記録カード４を構成している。【００１６】  カード本体５は破れ難く耐アルカリ性かつ耐水性を有する化学合成紙（商品名「ユポ」ユポコーポレーション製）の白色紙とする。【００１７】  図４において、剥離紙９が接合している透明樹脂フィルム７の一端を捲り上げ、カード本体５の表面にコンクリートの品質管理上必要な所定事項を記入する。【００１８】  図５は、透明樹脂フィルム７より剥離紙９を剥がし、接着剤８を現し、カード本体５の表面に重ねる前の状態である。【００１９】  図６は、透明樹脂フィルム７によりカード本体５の表面を被覆するように接着し、台紙１０から剥離した状態で、コンクリート供試体の表面に試験記録カード４を接着するための接着剤６が現れている。接着剤６の接着強度は供試体の強度試験完了後の剥離回収時まで剥落を防止し、強度試験完了後は容易に剥離回収できる接着強度とし、回収した試験記録カードは品質管理資料として発注者宛て提出を可能とした。【００２０】  カード本体５を化学合成紙の白色紙としたことにより、記入した文字が鮮明となり品質管理記録写真も鮮明となることから、品質管理記録の信頼性も高まる。さらにカード本体５を透明樹脂フィルム７で被覆したことにより、記入��においては筆記具を指定する必要なく一般筆記具（油性、水性、硬質ペン、朱肉ほか）による記入を可能にし、記入した文字を強アルカリ性および水性環境から守り全く損なわないものとした。【００２１】  図３（ａ）は、試験記録カード４の台紙１０毎の配置を示すものであり、供試体は発注者の指示により通常１回に６本製造し、水中養生を行いコンクリート打設後１週間目に３本、４週間目にさらに３本の強度試験を行う。このため試験記録カード４は３枚を１組として台紙１０に配置して記入時の利便性を向上し、試験記録カード４を作りやすくした。【００２２】  図３の試験記録カード４の形状寸法は長辺を名刺寸法に整合した隅丸形状であり携行、保管収納など取り扱いの利便性が向上した。
【実施例２】
【００２３】  図７において透明樹脂フィルム７表面の上端には粘着剤１１を介して剥離紙１２が設けられ、剥離紙１２を剥ぎ粘着剤１１により試験記録カード４を供試体型枠内面上部に接着する。【００２４】  試験記録カード４を供試体型枠内面上部に、粘着剤１１により接着固定することにより接着位置の精度が向上し、生コンクリートの流し込み時に両手での作業が可能となり、作業効率の向上が図られる。
【図面の簡単な説明】
【００２５】
【図１】  本発明の実施例１のコンクリート供試体の製造方法を示す断面図であり、試験記録カード部を拡大して示す断面図である。  図である。
【図２】  本発明の実施例１のコンクリート供試体の完成状況斜視図である。
【図３】  （ａ）は試験記録カードの所定事項記入前の透明樹脂フィルムおよび剥離紙の一部を破断して示す正面図で（ｂ）は（ａ）のＩＩＩ−ＩＩＩ拡大断面図である。
【図４】  （ａ）は試験記録カード記入前の斜視図であり、（ｂ）は（ａ）のＩＶ−ＩＶ拡大断面図である。
【図５】  （ａ）は試験記録カードに所定の必要事項記入後、透明樹脂フィルムの剥離紙を剥がした状態の斜視図、（ｂ）は（ａ）のＶ−Ｖ拡大断面図である。
【図６】  （ａ）は透明樹脂フィルムによりカード本体の被覆加工を施し、台紙から剥離して供試体型枠内に装填する前の状態の斜視図、（ｂ）は（ａ）のＶＩ−ＶＩ拡大断面図である。
【図７】  本発明の実施例２のコンクリート供試体の製造方法を示し、（ａ）は透明樹脂フィルムの表面に備えた粘着剤と剥離紙より剥離紙を剥がして供試体型枠内面に装填する前の状態の斜視図、（ｂ）は（ａ）のＶＩＩ−ＶＩＩ拡大断面図である。
【図８】  従来のコンクリート供試体の製造方法を示す断面図である。
【符号の説明】
【００２６】  １    供試体
２    生コンクリート
３    供試体型枠
４    試験記録カード
５    カード本体
６    接着剤
７    透明樹脂フィルム
８    接着剤
９    剥離紙
１０  台紙
１１  粘着剤
１２  剥離紙
【図１】
2006105949.tif 000003
【図２】
2006105949.tif 000004
【図３】
2006105949.tif 000005
【図４】
2006105949.tif 000006
【図５】
2006105949.tif 000007
【図６】
2006105949.tif 000008
【図７】
2006105949.tif 000009
【図８】
2006105949.tif 000010